(57)【特許請求の範囲】
【請求項１】
遊技盤の遊技領域の略中央に配置された中央役物と前記遊技領域の外周側に配置された外周部材との間に、前記遊技領域の上部に打ち込まれた遊技球が衝突する球止め部材の下側から下方へと右打ち通路を備え、
該右打ち通路を流下する遊技球と接触して遊技球の流下速度を抑制する抑制手段を備えた弾球遊技機において、
前記中央役物は前記遊技盤の前面に当接するベース板と、
該ベース板から前側に突出する外周壁と、
前記ベース板と略平行に配置され且つ前記右打ち通路内を流下中の遊技球を視認可能な前通路壁とを前記右打ち通路に対向して一体的に備え、
前記抑制手段は前記ベース板、前記外周壁及び前記前通路壁に遊技球の流下方向に所定間隔を置いて配置された複数個の突起を備えた
ことを特徴とする弾球遊技機。
【発明の詳細な説明】
【技術分野】
【０００１】
本発明は、パチンコ機、アレンジボール機等の弾球遊技機に関するものである。
【背景技術】
【０００２】
例えばパチンコ機には、遊技盤の前面に装着されたガイドレール、外周飾り部材等の外周部材の内側に略円形状の遊技領域を形成し、この遊技領域の略中央に、液晶式等の画像表示手段を有する中央役物を配置すると共に、中央役物の左右両側に左打ち通路と右打ち通路とを設け、遊技状況に応じて遊技者が左打ち通路と右打ち通路との何れかに遊技球を集中させながらゲームを行えるようにしたものがある。
【０００３】
この種のパチンコ機では、遊技球が左打ち通路を流下するときと同様に右打ち通路を流下するときにも、その流下速度を抑える必要がある。そこで、通路幅の広い左打ち通路と同様に、通路幅の狭い右打ち通路内にも多数の遊技釘を配置して、右打ち通路内での遊技球の動きに変化を与えて流下速度を抑制するようにしたもの（特許文献１）と、遊技領域の外周側に配置された外周部材の内側に、中央役物とは別に通路部材を配置し、その外周部材と通路部材との対向面に凹凸部を設けて右打ち通路を蛇行状に構成し、遊技球が右打ち通路内を蛇行状に流下することにより流下速度を抑制するようにしたもの（特許文献２）とがある。
【先行技術文献】
【特許文献】
【０００４】
【特許文献１】特開２０１０−１４２３３１号公報
【特許文献２】特開２００５−５４２号公報
【発明の概要】
【発明が解決しようとする課題】
【０００５】
近年のパチンコ機は、遊技盤の遊技領域を極力広くして、その遊技領域の略中央部に、表示領域の広い大型の画像表示手段を備えた中央役物を配置する傾向にあるが、左打ち通路と右打ち通路とを備えた従来のパチンコ機では、中央役物を十分に大型化できない欠点がある。
【０００６】
即ち、右打ち通路内に遊技釘を設けた前者の場合には、多数の遊技釘を配置できるように右打ち通路の通路幅をある程度確保する必要があるため、遊技領域に比して中央役物を十分に大型化できない欠点がある。
【０００７】
また右打ち通路を蛇行状に形成した後者の場合には、遊技領域の外周部分が凹凸状となって実質的に狭くなる上に、外周部材の内側に中央役物とは別に通路部材を配置する必要があって、中央役物の大型化が著しく制限される欠点がある。
【０００８】
本発明は、このような従来の問題点に鑑み、遊技球の流下速度を適度に抑制できる弾球遊技機を提供することを目的とする。
【課題を解決するための手段】
【０００９】
本発明は、遊技盤の遊技領域の略中央に配置された中央役物と前記遊技領域の外周側に配置された外周部材との間に、前記遊技領域の上部に打ち込まれた遊技球が衝突する球止め部材の下側から下方へと右打ち通路を備え、該右打ち通路を流下する遊技球と接触して遊技球の流下速度を抑制する抑制手段を備えた弾球遊技機において、前記中央役物は前記遊技盤の前面に当接するベース板と、該ベース板から前側に突出する外周壁と、前記ベース板と略平行に配置され且つ前記右打ち通路内を流下中の遊技球を視認可能な前通路壁とを前記右打ち通路に対向して一体的に備え、前記抑制手段は前記ベース板、前記外周壁及び前記前通路壁に遊技球の流下方向に所定間隔を置いて配置された複数個の突起を備えたものである。
【発明の効果】
【００１３】
本発明によれば、遊技球の流下速度を適度に抑制できる利点がある。
【図面の簡単な説明】
【００１４】
【図１】本発明の第１の実施形態を示すパチンコ機の正面図である。
【図２】同遊技盤の正面図である。
【図３】同要部の正面断面図である。
【図４】同要部の側面断面図である。
【図５】図３のＸ−Ｘ矢視断面図である。
【図６】図３のＹ−Ｙ矢視断面図である。
【図７】同要部の斜視図である。
【図８】本発明の第２の実施形態を示す要部の正面断面図である。
【図９】図８のＺ−Ｚ矢視断面図である。
【図１０】本発明の第３の実施形態を示す要部の正面断面図である。
【図１１】同要部の説明図である。
【図１２】同要部の説明図である。
【図１３】本発明の第４の実施形態を示す要部の一部破断正面図である。
【図１４】同要部の側面断面図である。
【図１５】同要部の平面断面図である。
【発明を実施するための形態】
【００１５】
以下、本発明の第１の実施形態を図面に基づいて詳述する。図１〜図７は本発明をパチンコ機に採用した第１の実施形態を例示する。パチンコ機は、図１に示すように、矩形状の外枠１と、この外枠１の前側にヒンジ２により縦軸廻りに開閉自在に枢着された前枠３とを備えている。前枠３の前側にはガラス扉４と前面板５とが上下に配置され、前枠３に対してヒンジ２と同じ側のヒンジにより縦軸廻りに開閉自在に枢支されている。
【００１６】
前面板５の前側には発射用の遊技球を貯留する球供給皿７が配置され、その側方に遊技球を発射する発射手段８の発射ハンドル９が設けられている。ガラス扉４はその透視窓１０を塞ぐ前後２枚のガラス板１１を有し、このガラス扉４の裏側に、ガラス扉４に対応するように前枠３に遊技盤１２が着脱自在に装着されている。
【００１７】
遊技盤１２の前面には、図２に示すように、発射手段８から発射された遊技球を誘導するガイドレール１３と、略円弧状の内周面を有する外周飾り部材１４とが周方向に装着され、そのガイドレール１３と外周飾り部材１４との内側が略円形状の遊技領域１７となっている。ガイドレール１３は内レール１５と外レール１６とを有し、その内レール１５と外レール１６の一部と外周飾り部材１４の内周面とにより遊技領域１７が画成されている。外レール１６は遊技領域１７の上部の左右中央よりも右側まで伸びており、この外レール１６と外周飾り部材１４との接続部の近傍又は外周飾り部材１４の上部に、外レール１６に沿って遊技領域１７の上部に打ち込まれた遊技球が衝突する球止め部材１９が設けられている。なお、内レール１５及び外レール１６を含むガイドレール１３と、外周飾り部材１４とにより、遊技領域１７の外周側に配置される外周部材が構成されている。
【００１８】
遊技領域１７には中央役物２０、普通図柄始動手段２１、第１特別図柄始動手段２２、第２特別図柄始動手段２３、大当たり用の開閉入賞手段２４、普通入賞手段２５、普通図柄表示手段２６、第１特別図柄表示手段２７、第２特別図柄表示手段２８、装飾体等の各種の遊技部品が配置されている。
【００１９】
中央役物２０は遊技領域１７の左右方向の略中央に配置されており、この中央役物２０の上端側の左右中央より左側が左打ち通路３０となり、右側が右打ち通路３１となっている。従って、遊技領域１７の上部に打ち込まれた遊技球は、左打ち通路３０、右打ち通路３１の何れかの流下通路を経て順次流下する。なお、右打ち通路３１を流下した遊技球は中央役物２０の右下側の下側通路３４を経て遊技領域１７の中央側へと流下する。
【００２０】
中央役物２０は遊技盤１２から前側に突出する前構造体３２と、遊技盤１２の裏側に装着された裏構造体（図示省略）と、前構造体３２の表示窓３２ａに対応して遊技盤１２の裏側で裏構造体に装着された液晶式その他の画像表示手段３３とを有する。前構造体３２は遊技盤１２に着脱自在に固定され且つ前構造体３２の外周部に配置された支持枠３６と、この支持枠３６の前側に装着された前飾り板３７とを備えている。
【００２１】
中央役物２０の下側の左右略中央には、この中央役物２０と最下部のアウト球口３８との間に第１特別図柄始動手段２２と第２特別図柄始動手段２３とが上下方向に配置されている。そして、中央役物２０の左下側には左打ち通路３０を置いて複数個の普通入賞手段２５が配置され、また右下側には普通図柄始動手段２１、開閉入賞手段２４等が配置されている。
【００２２】
なお、前構造体３２は左打ち通路３０側に開口する球誘導口３９と、この球誘導口３９を経て誘導された遊技球を第１特別図柄始動手段２２の上方近傍で遊技盤１２の前側へと落下させる球落下部４０とを有する。また前構造体３２には前飾り板３７等の適当箇所に普通図柄表示手段２６、第１特別図柄表示手段２７、第２特別図柄表示手段２８が装着されている。
【００２３】
普通図柄表示手段２６は普通図柄を変動表示するためのもので、複数種類の普通図柄（例えば２種類の「○」「×」）に対応する複数個の発光素子により構成されており、普通図柄始動手段２１が遊技球を検出することを条件に２個の発光素子が交互に点灯するように所定時間点滅して、普通図柄始動手段２１の遊技球の検出時に抽選した乱数値が予め定められた当たり判定値と一致した場合に当たり態様の「○」側の発光素子が点灯し、それ以外の場合に外れ態様の「×」側の発光素子が点灯して停止する。なお、変動後の普通図柄は１／１０程度の所定の確率で当たり態様となる。
【００２４】
第１特別図柄表示手段２７、第２特別図柄表示手段２８は発光部位の変化等で第１特別図柄、第２特別図柄を変動表示可能なセグメント式等の表示手段により構成されており、第１特別図柄表示手段２７は第１特別図柄始動手段２２が、第２特別図柄表示手段２８は第２特別図柄始動手段２３が夫々遊技球を検出することを条件に、第１特別図柄、第２特別図柄が所定時間変動して、第１特別図柄始動手段２２、第２特別図柄始動手段２３の遊技球の検出時に抽選された乱数値が予め定められた大当たり判定値と一致した場合に所定の大当たり態様で、それ以外の場合に外れ態様で停止するようになっている。
【００２５】
なお、変動後の第１特別図柄、第２特別図柄は、通常確率状態中は１／３５０等の通常確率で大当たり態様となり、大当たり状態終了後の高確率状態中は１／３５等の高確率で大当たり態様となる。大当たり状態中の場合には第１特別図柄、第２特別図柄は何れも変動しないし、一方が変動中の場合には他方は変動しない。また各特別図柄の始動検出は所定の上限数（例えば４）まで保留可能であり、両方に１以上の保留がある場合には、第２特別図柄表示手段２８の図柄変動が優先する。更に高確率状態中は第１特別図柄、第２特別図柄の変動時間も短縮される。
【００２６】
画像表示手段３３は第１特別図柄表示手段２７、第２特別図柄表示手段２８に対応する演出図柄表示手段４１を構成するもので、第１特別図柄、第２特別図柄の変動時にその図柄変動に同期して変動する１個又は複数個、例えば３個の演出図柄４２ａ〜４２ｃを変動表示する。演出図柄４２ａ〜４２ｃは第１特別図柄始動手段２２、第２特別図柄始動手段２３の遊技球の検出を条件に、抽選により決定された所定の演出図柄変動パターンを経て所定時間変動した後、第１特別図柄、第２特別図柄の変動終了に同期して所定の順序で順次停止する。なお、演出図柄表示手段４１は第１特別図柄表示手段２７、第２特別図柄表示手段２８に対応して別々に設けてもよい。
【００２７】
演出図柄４２ａ〜４２ｃの変動後の停止図柄は、第１特別図柄、第２特別図柄が大当たり態様で停止する場合には全てが揃う大当たり演出態様となり、第１特別図柄、第２特別図柄が外れ態様で停止する場合には少なくとも一部が異なる外れ演出態様となる。
【００２８】
例えば、演出図柄４２ａ〜４２ｃには０〜９までの数字図柄が使用されており、特別図柄が大当たり態様で停止する場合には演出図柄４２ａ〜４２ｃは「７・７・７」等の大当たり演出態様で停止し、特別図柄が外れ態様で停止する場合には演出図柄４２ａ〜４２ｃは「２・４・５」等の外れ演出態様で停止する。
【００２９】
第１特別図柄始動手段２２は非開閉式であって、画像表示手段３３の下側に配置されており、この第１特別図柄始動手段２２は右打ち通路３１に比較して左打ち通路３０を経て落下する遊技球が入賞し易くなっている。
【００３０】
第２特別図柄始動手段２３は開閉式であって、左右一対の開閉部材２３ａを備えた電動チューリップ式入賞手段等により構成され、普通図柄表示手段２６の変動後の普通図柄が当たり態様で停止した場合に所定の開放パターンで開放するようになっている。
【００３１】
第２特別図柄始動手段２３の開放パターンには、開放時間の短い通常パターン（例えば０．２秒×１回）と開放時間の長い特別パターン（例えば２秒×３回）とがあり、通常確率状態中は通常パターンが、高確率状態中は特別パターンが夫々選択される。
【００３２】
開閉入賞手段２４は変動後の第１特別図柄、第２特別図柄が大当たり態様で停止した場合に発生する大当たり状態中に所定の開放パターンで開閉するもので、この開閉入賞手段２４に遊技球が入賞したときには、他の普通入賞手段２５等への入賞よりも多くの賞球が払い出されるようになっている。
【００３３】
この開閉入賞手段２４は右打ち通路３１の下部においてベース板４３から前側に突出する前飾り体４４を有する。前飾り体４４はその上側に開閉板４５により開閉される大入賞口４６が設けられている。開閉板４５は前進時に大入賞口４６を閉鎖して遊技球を特別図柄始動手段２２，２３へと案内し、後退時に大入賞口４６を開放して遊技球が入賞すべく前後方向に出退自在である。
【００３４】
なお、開閉入賞手段２４の開閉パターンは、開放後に所定数（例えば１０個）の遊技球が入賞するか、所定時間（例えば３０秒）が経過するかの何れか早い方で閉じる開閉動作を１ラウンドとして、そのラウンド数の違いにより複数の種類があり、大当たりの抽選時にその複数種類の開閉パターンの何れかが抽選される。
【００３５】
普通図柄始動手段２１は遊技球の検出を条件に普通図柄表示手段２６の普通図柄を変動させるためのもので、右打ち通路３１を経て流下する遊技球の通過を検出するようになっている。
【００３６】
左打ち通路３０は広い通路幅を有し、中央役物２０の上側から左側を経て下側に跨がって形成され、この左打ち通路３０には多数の遊技釘（図示省略）が設けられている。
【００３７】
右打ち通路３１は遊技領域１７の上部の左右略中央から遊技領域１７の上下方向の略中央部に跨がって中央役物２０の右側に設けられた通路幅の狭い狭隘通路であって、図２、図３に示すように、外レール１６に沿って略円弧状に形成された上部通路５０と、外周飾り部材１４に沿って略円弧状に形成された側部通路５１と、球止め部材１９の近傍に形成され上部通路５０と側部通路５１とを段違い状に接続する屈曲通路５２とを有する。右打ち通路３１の下端は、前構造体３２の下側に配置された下側通路３４に接続されている。
【００３８】
中央役物２０の支持枠３６は、図３〜図７に示すように、遊技盤１２の前面に当接し且つ周方向の複数箇所でネジ等により遊技盤１２に固定されたベース板５３と、このベース板５３に一体又は別体に設けられ且つベース板５３から前方に略直角に突出する外周壁５４と、ベース板５３から後方に一体に突出して遊技盤１２の装着孔１２ａ内に嵌合する周方向の嵌合壁５４ａとを備えている。
【００３９】
外周壁５４は画像表示手段３３の前下側の球落下部４０側の所要範囲を除く略全周に設けられている。この外周壁５４は中央役物２０の上端側略中央の頂部５４ｂよりも右側で外レール１６との間に上部通路５０を形成する円弧状の上部通路壁５５と、右側の外周飾り部材１４との間で側部通路５１を形成する円弧状の側部通路壁５６と、上部通路壁５５と側部通路壁５６とを段違い状に接続し且つ球止め部材１９との間で屈曲通路５２を形成する屈曲通路壁５７とを有する。
【００４０】
右打ち通路３１の上部通路５０は上下に対向する外レール１６及び上部通路壁５５と、両者間の裏側に対向する遊技盤１２又はベース板５３とにより、また側部通路５１は左右に対向する外周飾り部材１４及び側部通路壁５６と、両者間の裏側に対向するベース板５３とにより夫々構成され、ガラス扉４を閉鎖したときに、図５、図６に示すように前飾り板３７の前面に近接して配置されるガラス板１１により塞がれる。そして、右打ち通路３１の側部通路５１には、後述するように、遊技球の流下速度を抑制する抑制手段５８が設けられている。
【００４１】
右打ち通路３１の下端は、図３に示すように、遊技領域１７の上下方向の略中央よりも若干下に位置しており、この右打ち通路３１の下部には、遊技領域１７の上下方向の略中央を含む上下両側の所定範囲Ａに、外周飾り部材１４に沿って略垂直な垂直部５９が形成されている。右打ち通路３１の側部通路５１には、図３〜図７に示すように、球止め部材１９の下側から垂直部５９の上側に跨がって傾斜壁６０ａ，６０ｂを介して突出壁６１が形成されている。即ち、ベース板５３は突出壁６１を除く略全体が遊技盤１２の前面に当接し、突出壁６１の範囲Ｂが遊技盤１２の前面から離間して前側に突出し、この突出壁６１と遊技盤１２の前面に当接する部分との間に傾斜壁６０ａ，６０ｂが設けられている。なお、突出壁６１とガラス板１１との間隔Ｃは、側部通路壁５６と外周飾り部材１４との間隔Ｄと略同じになっている。
【００４２】
右打ち通路３１に対向する対向面を構成するベース板５３、外周壁５４には、図３〜図７に示すように、右打ち通路３１内を流下する遊技球と接触して流下速度を抑制する突起６３，６４が、遊技球の流下方向に所定の間隔を置いて複数個配置されている。ベース板５３の突起６３は突出壁６１の前面にその側部通路５１の円弧中心に対して略放射状に設けられ、また外周壁５４の突起６４はその前後方向に略水平状に形成されている。従って、各突起６３，６４は側部通路壁５６の遊技球の流下方向に対して略直交する方向に長くなっている。
【００４３】
この実施形態では、抑制手段５８は突出壁６１と突起６３，６４とにより構成されている。なお、突起６３，６４は断面半円状の小突起であり、上下の各突起６３，６４間の間隔は遊技球の直径よりも短く、半径よりも大である。例えば、各突起６３，６４の高さ、間隔は、ベース板５３側又は外周壁５４側において、遊技球が上下に隣り合う２つの各突起６３，６４に当接したときに、その遊技球の一部がベース板５３又は外周壁５４の表面に接触するか、遊技球が上下に隣り合う２つの突起６３，６４の一方と、ベース板５３又は外周壁５４の表面に接触したときに他方と近接する程度である。
【００４４】
ベース板５３は右打ち通路３１の下端から下方に突出しており、その突出部分に支持枠３６の下側通路壁６９との間で下側通路３４を形成する下側通路部材６５が設けられている。下側通路部材６５は右打ち通路３１の下端から流下した遊技球を遊技領域１７の内側へと掬いながら案内する掬い部６６と、段差部６７を介して掬い部６６に接続する傾斜通路壁６８とを有し、外周壁５４の側部通路壁５６と下側通路壁６９との間には、下側通路部材６５の掬い部６６、段部６７に対応して凹部７０が設けられている。従って、右打ち通路３１と下側通路３４は略Ｓ字状に屈曲する屈曲通路７１を介して接続されている。
【００４５】
ゲームに際しては、発射手段８を操作して遊技領域１７へと遊技球を発射させる。このとき通常確率状態であれば、遊技者は第１特別図柄始動手段２２に入賞し易い左打ち通路３０に遊技球が集中するように左打ちをする。左打ち通路３０を落下する間に、遊技球が中央役物２０の球誘導口３９、球落下部４０等を経て第１特別図柄始動手段２２に入賞すると、第１特別図柄表示手段２７の第１特別図柄、演出図柄表示手段４１の演出図柄４２ａ〜４２ｃが同期して所定時間変動する。
【００４６】
そして、第１特別図柄始動手段２２に遊技球が入賞したときの抽選結果が大当たりであるか否かに応じて、第１特別図柄表示手段２７の変動後の第１特別図柄が大当たり態様又は外れ態様で停止し、演出図柄表示手段４１の演出図柄４２ａ〜４２ｃが大当たり演出態様又は外れ演出態様で停止する。
【００４７】
通常確率状態中でも右打ち通路３１に進入した遊技球が普通図柄始動手段２１に入賞すれば、普通図柄表示手段２６の普通図柄が変動して変動後に当たり態様で停止することもある。しかし、通常確率状態中は第２特別図柄始動手段２３の開放時間が極僅かであるため、第２特別図柄始動手段２３に遊技球が入賞する可能性は非常に低い。
【００４８】
第１特別図柄表示手段２７の変動後の第１特別図柄が大当たり態様で停止すれば大当たり状態となり、開閉入賞手段２４が抽選された所定の開閉パターンで所定ラウンド数開閉動作を繰り返すので、遊技者は開閉入賞手段２４に遊技球が入賞し易い右打ち通路３１側に遊技球を集中させるべく右打ちをする。
【００４９】
右打ち通路３１に入った遊技球は下側通路３４を経て遊技領域１７の中央側へと移動した後、普通図柄始動手段２１、開閉入賞手段２４、特別図柄始動手段２２，２３等に入賞するか、アウト球口３８側へと流下する。なお、大当たりの場合には、所定の開閉パターンで開閉する大入賞口４６に入賞する。
【００５０】
右打ち通路３１の上部通路５０に入った遊技球は球止め部材１９に衝突した後、屈曲通路５２を経て側部通路５１に入り、抑制手段５８により流下速度を抑制されながら側部通路５１内を下方へと流下する。
【００５１】
側部通路５１にはベース板５３及び外周壁５４に流下方向に多数の突起６３，６４があり、この側部通路５１を流下する遊技球は各突起６３，６４に順次接触するため、遊技球の流下速度を適度に抑制することができる。このように右打ち通路３１を円弧状に形成し、その裏面に対向するベース板５３と内周に対向する外周壁５４とに流下方向に多数の突起６３，６４を設けて遊技球の流下速度を抑制することにより、遊技領域１７を十分に確保しつつその遊技領域１７に応じて中央役物２０及び画像表示手段３３を大型化することができる。
【００５２】
また突起６３，６４は右打ち通路３１を挟んで前後及び左右に相対向する４つの対向面の内、ベース板５３、外周壁５４の隣り合う二つの対向面に突起６３，６４を設けているので、その一方にのみ突起６３又は突起６４を設ける場合に比較して遊技球の流下速度を効果的に抑制することができる。しかも中央役物２０の支持枠３６を構成するベース板５３、外周壁５４に突起６３，６４を設けることによって構造的にも簡素化することができる。
【００５３】
ベース板５３の突起６３は右打ち通路３１の円弧中心に対して略放射状とし、外周壁５４の突起６４は前後方向に長い略水平状として、ベース板５３の突起６３、外周壁５４の突起６４は共に右打ち通路３１の遊技球の流下方向に対して略直交する方向に長くなっているので、遊技球が複雑な挙動で流下する場合にも、遊技球が突起６３，６４に接触する機会を増やすことができる。
【００５４】
更にベース板５３は右打ち通路３１の通路断面積を小さくすべく前側に突出する突出壁６１を有し、その突出壁６１に突起６３を設けているので、突起６３自体の高さを小さく抑えながら遊技球の流下速度を十分に抑制できる。
【００５５】
またベース板５３の突出壁６１、突起６３は球止め部材１９の下側から垂直部５９の上側の範囲Ｂとしているため、球止め部材１９に衝突した後の遊技球の慣性力を効率的に抑制することができる。
【００５６】
一方、ベース板５３の突出壁６１、突起６３は垂直部５９の上側までであり、この垂直部５９では外周壁５４の突起６４のみとなるので、上側で十分に流下速度を抑制された後の遊技球は、垂直部５９を略垂直に流下する。従って、遊技球は突起６４と接触して抑制されながらも、下側通路３４を通過するに必要な慣性力まで回復させることができ、遊技球はその慣性力で屈曲通路５２を経て下側通路３４へと流下させることができる。
【００５７】
図８及び図９は本発明の第２の実施形態を例示し、この実施形態では、ベース板５３と外周壁５４とに突出壁６１，７３が設けられ、その各突出壁６１，７３に各突起６３，６４が設けられている。外周壁５４の側部通路壁５６は球止め部材１９の下側近傍７３ａと垂直部５９の対応部分７３ｂとの上下両側で外周飾り部材１４との間隔が大となっており、その両者間が外周飾り部材１４に接近する突出壁７３となっている。なお、突出壁７３の上下両側には傾斜壁７４ａ，７４ｂが設けられている。ベース板５３側を含む他の構成は第１の実施形態と同様である。
【００５８】
このように側部通路壁５６の中間にも、突起６４を有する突出壁７３を設けてもよい。その場合、外周壁５４の垂直部５９の対応部分７３ｂの突起６４は設けてもよいが、図８に示すように省略してもよい。またベース板５３の突出壁６１は省略してもよい。
【００５９】
図１０〜図１２は本発明の第３の実施形態を例示し、この実施形態では、ベース板５３の突起６３と外周壁５４の突起６４とを流下方向に交互に配置し、外周壁５４の突起６４の高さを上側から下側へと順次高くなるようにしている。傾斜角度が小さい上部側では突起６４の高さを小さくし、下側に移るに従って流下速度の抑制効果が大になるように突起６４の高さを大にしている。なお、突起６３側は略同高さである。突起６３，６４は流下方向に略対応して設けてもよい。他の構成は第１の実施形態と同様である。
【００６０】
このように外周壁５４の突起６４は、上側から下側へと順次高さが高くなるように設けてもよい。その場合、傾斜角度が小さい上部側では、図１１に示すように突起６４の高さを低くすることにより、遊技球の重心Ｇを突起６４の先端よりも外側に位置させて、突起６４の上で遊技球が停止しないようにできる。
【００６１】
また下側に移るに従って突起６４による流下速度の抑制効果が大になるので、突起６３，６４の数を少なくすることができる。例えば、図１２に示すように仮に第１突起６４−１の先端をａ矢示方向に通過する遊技球があった場合、その遊技球は第２突起６４−２の先端部に衝突してｂ矢示方向に外周飾り部材１４側へと跳ね返された後、この外周飾り部材１４に衝突してｃ矢示方向へと跳ね返されて第３突起６４−３に衝突してｄ矢示方向へと飛ぶ。従って、遊技球は外周壁５４の突起６４と外周飾り部材１４との間で衝突を繰り返しながら流下することになり、突起６３，６４の数を少なくしても、流下速度の抑制効果を大にすることができる。
【００６２】
図１３〜図１５は本発明の第４の実施形態を例示し、この実施形態では、外周壁５４の前端から外側に屈曲して右打ち通路３１の前に対向する前通路壁７５があり、この前通路壁７５に放射状に突起７６が設けられると共に、右打ち通路３１内を流下中の遊技球を視認できるように視認部７７が通孔等により構成されている。
【００６３】
なお、外周壁５４の突起６４は第１の実施形態と同様である。ベース板５３は右打ち通路３１の略全体で遊技盤１２の前面に当接しており、また第１の実施形態のベース板５３の突起６３は省略している。ベース板５３にも前通路壁７５と同様に突起６３を設けてもよい。他の構成は第１の実施形態と同様である。
【００６４】
このように外周壁５４と前通路壁７５とに突起６４，７６を設けても、第１の実施例と同様に右打ち通路３１内を流下する遊技球の流下速度を抑制することができる。ただ、この場合にはベース板５３と前通路壁７５を一体に有する外周壁５４、又はベース板５３を一体に有する外周壁５４と前通路壁７５を別体構造とすることが望ましい。また第１の実施形態のベース板５３と同様に前通路壁７５に突出壁６１を設けて、その部分に突起７３を設けるようにしてもよい。ベース板５３と前通路壁７５とが略一定間隔で平行する場合には、その両者に突起６３，７６を設けてもよい。
【００６５】
以上、本発明の各実施形態について詳述したが、本発明はこの各実施形態に限定されるものではなく、本発明の趣旨を逸脱しない範囲で種々の変更が可能である。例えば、各実施形態では、流下通路として右打ち通路３１を例示したが、右打ち通路３１以外の流下通路、例えば左打ち通路３０でも同様に実施することができる。
【００６６】
その場合、右打ち通路３１であれば、外周飾り部材１４が中央役物２０との間で右打ち通路３１を形成する外周部材となり、また左打ち通路３０であれば、外レール１５、内レール１６が中央役物２０との間で左打ち通路３０を形成する外周部材となるが、これら以外のものでもよい。例えば、外周飾り部材１４の内周面に沿って周方向にレール部材を設ける場合には、そのレール部材が外周部材となる。なお、球止め部材１９の近傍まで内レール１６を伸ばしてもよい。
【００６７】
抑制手段５８を構成する突起６３，６４，７６は、流下通路に対向する前後方向及び左右方向に対向する４つの対向面の内、少なくとも１つの対向面に突起６３，６４，７６を設けておけばよい。複数の対向面に突起６３，６４，７６を設ける場合には、各実施形態に例示するように隣り合う二つの対向面、又は隣り合う３つの対向面に突起６３，６４，７６を設けることが望ましいが、４つの対向面の内、左右、前後の相対向する２つの面に突起６３，６４を設けてもよい。外周飾り部材１４又は外周壁５４と外周飾り部材１４に突起を設けてもよい。
【００６８】
また通路断面積を小さくするために突出壁６１，７３を設けているが、突出壁６１，７３は省略してもよい。突起６３，６４，７５の高さ、間隔は流下通路の湾曲形状等を考慮して適宜変更可能である。また突起６３，６４，７５は遊技球の流下方向に対して略直交する方向に長くすることが望ましいが、半球状、その他のものでもよい。更に本発明はパチンコ機の他、アレンジボール機、その他の各種の弾球遊技機においても同様に実施可能であることは云うまでもない。
【符号の説明】
【００６９】
１２  遊技盤
１４  外周飾り部材
１７  遊技領域
１９  球止め部材
２０  中央役物
３１  右打ち通路（流下通路）
５３  ベース板
５４  外周壁
５８  抑制手段
５９  垂直部
６１，７３  突出壁
６３，６４，７６  突起
【図１】
0005484553.tif 000002
【図２】
0005484553.tif 000003
【図３】
0005484553.tif 000004
【図４】
0005484553.tif 000005
【図５】
0005484553.tif 000006
【図６】
0005484553.tif 000007
【図７】
0005484553.tif 000008
【図８】
0005484553.tif 000009
【図９】
0005484553.tif 000010
【図１０】
0005484553.tif 000011
【図１１】
0005484553.tif 000012
【図１２】
0005484553.tif 000013
【図１３】
0005484553.tif 000014
【図１４】
0005484553.tif 000015
【図１５】
0005484553.tif 000016